(57)【要約】【課題】この発明は、低背化してもＦＰＣの装着が容易で、しかも確実な接続が得られる電気コネクタを提供する。【解決手段】挿入された印刷配線基板の各接続端子を第１のコンタクト２２と第２のコンタクト２３の各接点に押し付けるアクチュエータ手段２５を、第１のアクチュエータ２７と、この第２のアクチュエータ２７に連動する独立した第２のアクチュエータ２８とに二分割した。【選択図】  図１
2004265673.tif 000002
【特許請求の範囲】
【請求項１】
印刷配線基板を挿入する基板挿入口が正面に形成されたハウジングと、該ハウジング内に並設された第１と第２のコンタクトであって、前記基板挿入口と隣接する位置に、前記挿入された印刷配線基板の一方の接続端子と接触する接点が形成された第１のコンタクトと、前記基板挿入口から離間する前記ハウジングの奥側の位置に、前記挿入された印刷配線基板の他方の接続端子と接触する接点が形成された第２のコンタクトと、前記挿入された印刷配線基板の各接続端子を前記第１のコンタクトと第２のコンタクトの各接点に押し付けるアクチュエータ手段とを有する電気コネクタにおいて、
前記アクチュエータ手段は、前記挿入された印刷配線基板の一方の接続端子を前記第１のコンタクトの接点に押し付ける第１のアクチュエータと、該第１のアクチュエータに連動し前記挿入された印刷配線基板の他方の接続端子を前記第２のコンタクトの接点に押し付ける独立した第２のアクチュエータとからなることを特徴とする電気コネクタ。
【請求項２】
前記第１のコンタクトは、前記接点が形成された第１のコンタクト片と該第１のコンタクト片に連結し前記アクチュエータ手段側に向けて略Ｕ字形に曲げられた第２のコンタクト片からなり、
また前記第２のコンタクトは前記接点が形成された第１のコンタクト片と該第１のコンタクト片に連結し前記アクチュエータ手段側に向けて略Ｕ字形に曲げられた第２のコンタクト片からなるとともに、
前記第１のアクチュエータの下端には、前記印刷配線基板を押圧する押圧突起が形成され、該押圧突起は前記第１のコンタクトを構成する前記第２のコンタクト片の下縁に係合しており、
また前記第２のアクチュエータの下端には、前記印刷配線基板を押圧する押圧突起が形成され、該押圧突起は前記第２のコンタクトを構成する前記第２のコンタクト片の下縁に係合している
ことを特徴とする請求項１に記載の電気コネクタ。
【請求項３】
前記第１のコンタクトの接点と前記第２のコンタクト片との間隔および前記第２のコンタクトの接点と前記第２のコンタクト片との間隔は、いずれも前記挿入される印刷配線基板の板厚よりも大きいことを特徴とする請求項２に記載の電気コネクタ。
【請求項４】
前記第１のアクチュエータは前記ハウジングに対して回動自在に支承され、前記第２のアクチュエータは前記ハウジングに対してスライド自在に支承されていることを特徴とする請求項１に記載の電気コネクタ。
【請求項５】
印刷配線基板を挿入する基板挿入口が正面に形成されたハウジングと、該ハウジング内に並設された第１と第２のコンタクトであって、前記基板挿入口と隣接する位置に、前記挿入された印刷配線基板の一方の接続端子と接触する接点が形成された第１のコンタクトと、前記基板挿入口から離間する前記ハウジングの奥側の位置に、前記挿入された印刷配線基板の他方の接続端子と接触する接点が形成された第２のコンタクトと、前記挿入された印刷配線基板の各接続端子を前記第１のコンタクトと第２のコンタクトの各接点に押し付けるアクチュエータ手段とを有する電気コネクタにおいて、
前記アクチュエータ手段は、前記挿入された印刷配線基板の一方の接続端子を前記第１のコンタクトの接点に押し付ける第１のアクチュエータと、前記挿入された印刷配線基板の他方の接続端子を前記第２のコンタクトの接点に押し付ける独立した第２のアクチュエータとからなることを特徴とする電気コネクタ。
【請求項６】
前記第１のコンタクトは、前記接点が形成された第１のコンタクト片と該第１のコンタクト片に連結し前記アクチュエータ手段側に向けて略Ｕ字形に曲げられた第２のコンタクト片からなり、
また前記第２のコンタクトは前記接点が形成された第１のコンタクト片と該第１のコンタクト片に連結し前記アクチュエータ手段側に向けて略Ｕ字形に曲げられた第２のコンタクト片からなるとともに、
前記第１のアクチュエータの下端には、前記印刷配線基板を押圧する押圧突起が形成され、該押圧突起は前記第１のコンタクトを構成する前記第２のコンタクト片の下縁に係合しており、
また前記第２のアクチュエータの下端には、前記印刷配線基板を押圧する押圧突起が形成され、該押圧突起は前記第２のコンタクトを構成する前記第２のコンタクト片の下縁に係合している
ことを特徴とする請求項５に記載の電気コネクタ。
【請求項７】
前記第１のコンタクトの接点と前記第２のコンタクト片との間隔および前記第２のコンタクトの接点と前記第２のコンタクト片との間隔は、いずれも前記挿入される印刷配線基板の板厚よりも大きいことを特徴とする請求項６に記載の電気コネクタ。
【請求項８】
前記第１のアクチュエータは前記ハウジングに対して回動自在に支承され、前記第２のアクチュエータは前記ハウジングに対してスライド自在に支承されていることを特徴とする請求項５に記載の電気コネクタ。
【発明の詳細な説明】
【０００１】
【発明の属する技術分野】
この発明は、フレキシブル印刷配線基板を電気的に接続する電気コネクタに関し、特にその装着を簡単にした電気コネクタに関する。
【０００２】
【従来の技術】
一般に、フレキシブル印刷配線基板（ＦＰＣ、以下単にＦＰＣという）の一端に並設された複数の端子を、対応する複数の各コンタクトに一括して接続する装置として電気コネクタが提供されている。
【０００３】
この従来の電気コネクタ１はその要部拡大断面図で示す図７のように、断面略矩形状のハウジング２と、このハウジング２内であって、図面の垂直方向に沿い、交互に互いに隣接して配設された第１と第２のコンタクト３、４とからなり、このうち、第２のコンタクト４は、互いに連結した第１及び第２のコンタクト片４ａ、４ｂにより側面が略Ｕ字形に形成されている。また第１のコンタクト３も同じく側面がＵ字形をしている。
【０００４】
一方、上述した第１と第２の各コンタクト３、４のうち、第１のコンタクト３の接点３ａは基板挿入口１ａに隣接する位置に形成され、また第２のコンタクト４の接点４ｄは、基板挿入口１ａからみてハウジング２の奥側に形成されている。
【０００５】
この一方、この電気コネクタ１では、後述するＦＰＣの端部がこの電気コネクタ１の基板挿入口１ａ内に簡単に挿入できるよう、当該挿入口１ａの上面に軸Ｐを中心に板状のアクチュエータ６が回動自在に支承されている。
【０００６】
そして、図８に示すように、ＦＰＣ１０を挿入する際は、アクチュエータ６をハウジング２の両端に配設された軸Ｐを中心に時計方向へ回転させ、これより基板挿入口１ａの上面を大きく拡開し、図示せぬ接続端子が表面に形成されたＦＰＣ１０の端部１０ａを第１のコンタクト３の接点３ａを避けて簡単にその内部に挿入することができるようにしている。なお、このような構造の電気コネクタを一般的にＺＩＦ（ＺＥＲＯ  ＩＮＳＥＲＴＩＯＮ  ＦＯＲＣＥ）構造のコネクタと称している。
【０００７】
一方、この従来の電気コネクタ１では、アクチュエータ６を用いてハウジング２の奥側に位置する第２のコンタクト４の接点４ｄと第１のコンタクト片４ａの先端部４ｃとの間を大きく広げることはできないので、その際はＦＰＣ１０を矢印Ａ方向へさらに強く押圧し、それにより図９で示すように、ＦＰＣ１０の端部１０ａを押すことによって第２のコンタクト４の接点４ｄと第１のコンタクト片４ａの先端部４ｃとの間を押し広げ、そこにＦＰＣ１０の端部１０ａを挿入し、これにより第２のコンタクト４の接点４ｄとＦＰＣ１０の端部１０ａ下面に形成された図示せぬ接続端子とを押圧接触させ、電気的に接続させるようにしている。
【０００８】
そして、これらＦＰＣ１０の挿入が完了すると、図１０で示すように、アクチュエータ６を軸Ｐを中心に反時計方向へ回転させ、これよりアクチュエータ６の下面６ａでＦＰＣ１０を押圧して、当該ＦＰＣ１０の下面に形成された図示せぬ別の接続端子を第１のコンタクト３の接続部３ａに押し付けて電気的に接続させるようにしていた。
【０００９】
【発明が解決しようとする課題】
ところで、上述した電気コネクタ１は、基板挿入口１ａと隣接した位置に接点３ａを形成した第１のコンタクト３とＦＰＣ１０との接続に関しては、確かにＺＩＦ構造ではあるが、ハウジング２の奥側に接点４ｄを形成した第２のコンタクト４とＦＰＣ１０との間の接続に関しては当該ＦＰＣ１０を押し付けて、その端部で第２のコンタクト４の接点４ｄと第１のコンタクト片４ａの先端部４ｃと間を押し広げる構成を採用しているので、いわゆるＮＯＮ−ＺＩＦ構造であり、依然としてＦＰＣ１０の取り付け作業が困難である実態は変わらないのが実情であった。
【００１０】
さらに、ノートパソコン等の電子機器では薄型化、すなわちその低背化が一層促進されており、これに連動してその内部に使用する上述した電気コネクタ１も、その低背化が一層促進されているが、この電気コネクタ１のハウジング２を低背化すればするほど、その奥に配置された第２のコンタクト４にＦＰＣ１０を挿入することが一層困難となる。
【００１１】
この発明は、上述した事情に鑑み、低背化してもＦＰＣの装着が容易で、しかも確実な接続が得られる電気コネクタを提供すること目的とする。
【００１２】
【課題を解決するための手段】
上述した課題を解決するため、この発明では、印刷配線基板を挿入する基板挿入口が正面に形成されたハウジングと、該ハウジング内に並設された第１と第２のコンタクトであって、前記基板挿入口と隣接する位置に、前記挿入された印刷配線基板の一方の接続端子と接触する接点が形成された第１のコンタクトと、前記基板挿入口から離間する前記ハウジングの奥側の位置に、前記挿入された印刷配線基板の他方の接続端子と接触する接点が形成された第２のコンタクトと、前記挿入された印刷配線基板の各接続端子を前記第１のコンタクトと第２のコンタクトの各接点に押し付けるアクチュエータ手段とを有する電気コネクタにおいて、前記アクチュエータ手段を、前記挿入された印刷配線基板の一方の接続端子を前記第１のコンタクトの接点に押し付ける第１のアクチュエータと、該第１のアクチュエータに連動し、前記挿入された印刷配線基板の他方の接続端子を前記第２のコンタクトの接点に押し付ける独立した第２のアクチュエータとにより構成するようにしている。
【００１３】
【発明の実施の形態】
以下、この発明に係わる電気コネクタの一実施例を詳述する。
【００１４】
図１及び図２はこの発明に係わる電気コネクタ２０の要部断面図で、図１は第２のコンタクト２３を詳細に示し、また図２は第１のコンタクト２２を詳細に示している。
【００１５】
この電気コネクタ２０も、従来と同様に、断面略矩形状のハウジング２１と、図面垂直方向へ向け、このハウジング２１内に交互に互いに隣接して配設された第１と第２のコンタクト２２、２３とから構成されている。
【００１６】
この第１と第２の各コンタクト２２、２３のうち、図２に示す第１のコンタクト２２は、基板挿入口２４に隣接して形成された一つの接点２２ａと、互いに連結し側面が略Ｕ字形に形成された第１と第２のコンタクト片２２ｂ、２２ｃとにより形成されている。
【００１７】
また同様に図１に示す、第２のコンタクト２３も、基板挿入口２４から離間するハウジング２１の奥側の位置に形成された一つの接点２３ａと、互いに連結し側面が略Ｕ字形に形成され第１と第２のコンタクト片２３ｂ、２３ｃとから形成されている。
【００１８】
なお、図２に示すように、第１のコンタクト２２の各コンタクト片２２ｂ、２２ｃのうち、上方に位置するコンタクト片２２ｃの先端２２ｄは接点２２ａの位置にまで延設され、また同様に図１で示す第２のコンタクト２３の各コンタクト片２３ｂ、２３ｃのうち、上方に位置するコンタクト片２３ｃの先端２３ｄも接点２３ａに至る位置にまで延設されている。
【００１９】
一方、図１に示すように、この電気コネクタ２０の基板挿入口２４には、その上面を開閉自在に構成するアクチュエータ手段２５が配設されている。
【００２０】
このアクチュエータ手段２５は、図１に示すように、ハウジング２１の側壁に嵌挿する軸２６を中心に当該ハウジング２１に対し回動自在に支承された板状の第１のアクチュエータ２７と、この第１のアクチュエータ２７の回動に連動してハウジング２１の前後へ向けスライド移動する板状の第２のアクチュエータ２８とから構成されている。
【００２１】
なお、図２に示すように、第２のアクチュエータ２８の先端部には断面略コの字形状に折り曲げられた突起２８ａが形成され、この突起２８ａは第１のアクチュエータ２７の先端に形成された係合孔２７ａ内に嵌挿している。
【００２２】
また図１に示すように、第２のアクチュエータ２８の下端には略楕円形状の押圧突起２８ｂが形成され、この押圧突起２８ｂは第２のコンタクト２３の第２のコンタクト片２３ｃの下面に係合している。
【００２３】
また、図２で示すように、第１のアクチュエータ２７の下端にも略楕円形状の押圧突起２７ｂが形成され、この押圧突起２７ｂは第１のコンタクト２２を構成する第２のコンタクト片２２ｃの先端２２ｄ下面に係合している。
【００２４】
なお、図１及び図２で示すように、第１のアクチュエータ２７と第２のアクチュエータ２８をそれぞれ拡開した初期位置では、図１のように第２のコンタクト２３の接点２３ａと第２のコンタクト片２３ｃの先端２３ｄとの間の間隔Ｌ１は後述する印刷配線基板の板厚よりも大きく設定され、また図２で示すように、第１のコンタクト２２の接点２２ａと第１のアクチュエータ２７の押圧突起２７ｂとの間隔、すなわち第１のコンタクト２２の接点２２ａと第１のコンタクト２２を構成する第２のコンタクト片２２ｃの先端２２ｄとの間隔Ｌ２も後述する印刷配線基板の板厚よりも大きく設定されている。
【００２５】
このような構造の電気コネクタ２０によると、図１及び図２に示す第１及び第２の各アクチュエータ２７、２８の各初期位置では、第２のコンタクト２３の接点２３ａと第２のコンタクト片２３ｃの先端２３ｄとの間の間隔Ｌ１、および第１のコンタクト２２の接点２２ａと第１のアクチュエータ２７の押圧突起２７ｂとの間隔Ｌ２は、いずれも印刷配線基板の板厚よりも大きく設定されているので、図３及び図４で示すように、ＦＰＣ（フレキシブル印刷配線基板）１０を挿入すると、当該ＦＰＣ１０の先端１０ａはハウジング２１内の前方に位置する第１のコンタクト２２の接点２２ａと第１のアクチュエータ２７の押圧突起２７ｂとの間（図４）、および第２のコンタクト２３の接点２３ａと第２のコンタクト片２３ｃの先端２３ｄとの間（図３）をスムーズに嵌挿して、いわゆるＺＩＦ（ＺＥＲＯ  ＩＮＳＥＲＴＩＯＮ  ＦＯＲＣＥ）構造のコネクタとなる。
【００２６】
このように、ＦＰＣ１０の先端１０ａが第１のコンタクト２２の接点２２ａと第１のアクチュエータ２７の突起２７ｂとの間、および第２のコンタクト２３の接点２３ａと第２のコンタクト片２３ｃの先端２３ｄとの間をスムーズに嵌挿した後、図５、図６で示すように、アクチュエータ手段２５を構成する第１のアクチュエータ２７を軸２６を中心に反時計方向へ回転させると、この第１のアクチュエータ２７に連動して第２のアクチュエータ２８が図５の矢印Ｃで示すように、図面左側へ移動する。
【００２７】
これに伴い第２のアクチュエータ２８の押圧突起２８ｂも第２のコンタクト片２３ｃの下面に沿いつつ図面左側へ移動するので、係合する第２のコンタクト片２３ｃの弾発力により押圧突起２８ｂが下方に押圧され、このため当該押圧突起２８ｂがＦＰＣ１０の上面を押圧して、その下面に形成された接続端子を第２のコンタクト２３の接点２３ａに押圧することとなる。
【００２８】
同様に、第１のアクチュエータ２７が反時計方向へ回転すると、図６で示すように、その楕円形状の押圧突起２７ａが回転してその長軸をＦＰＣ１０の上面に当接させるので、これにより当該押圧突起２７ａがＦＰＣ１０の上面を押圧して、その下面にある接続端子を第１のコンタクト２２の接点２２ａに押圧することとなる。
【００２９】
このため、ＦＰＣ１０の下面に形成された各接続端子は、対応する第１のコンタクト２２の接点２２ａと第２のコンタクト２３の接点２３ａとに、それぞれ確実に電気的に接続されることとなる。
【００３０】
なお、図６で符号２８ｃは第２のコンタクト片２２の先端部２２ｄを嵌挿する孔で、この孔２８ｃにより電気コネクタ２０の厚みの増大が抑止されている。
【００３１】
従って、上述した電気コネクタ２０によると、接点２２ａが基板挿入口２４に隣接する位置に形成された第１のコンタクト２２に対しても、またハウジング２１の奥側に接点２３ａが形成された第２のコンタクト２３に対してもいずれもＺＩＦ（ＺＥＲＯ  ＩＮＳＥＲＴＩＯＮ  ＦＯＲＣＥ）構造となり、電気コネクタ２０に対するＦＰＣ１０の装着作業が極めて簡単となるだけでなく、第１と第２のアクチュエータ２７、２８により電気コネクタ２０の各接点とＦＰＣ１０の各接続端子との確実な電気的接続が得られることとなる。
【００３２】
なお、上記実施例では、第１のアクチュエータ２７と第２アクチュエータ２８とをそれぞれ連動させたが、この発明は上記実施例に限定されることなく、それぞれ独立に作動させるようにしても良い。
【００３３】
【発明の効果】
以上説明したように、この発明の電気コネクタでは、挿入された印刷配線基板の各接続端子を第１のコンタクトと第２のコンタクトの各接点に押し付けるアクチュエータ手段を、第１のアクチュエータと、この第２のアクチュエータに連動する独立した第２のアクチュエータとに二分割し、第１のアクチュエータで印刷配線基板の一方の接続端子を前記第１のコンタクトの接点を押し付け、第２のアクチュエータで印刷配線基板の他方の接続端子を第２のコンタクトの接点に押し付けるようにしたから、アクチュエータ手段を回転させる簡単な操作により、第１と第２の各コンタクトの接点を開放してその間に印刷配線基板を簡単に嵌挿させることができ、これにより、基板挿入口に隣接する位置に接点が形成された第１のコンタクトと、基板挿入口からみてハウジングの奥側に接点が形成された第２のコンタクトを有する電気コネクタを完全なＺＩＦ（ＺＥＲＯ  ＩＮＳＥＲＴＩＯＮ  ＦＯＲＣＥ）構造とすることができるとともに、印刷配線基板の各接続端子を第１のコンタクトと第２のコンタクトの各接点に確実に押し付け、確実な電気的接続を得る電気コネクタを提供することができる。
【００３４】
また上述した構造とすることにより、ハウジングの高さに係わらず印刷配線基板を簡単に電気コネクタに装着することができるので、電気コネクタの一層の低背化を促進することができる。
【図面の簡単な説明】
【図１】図１はこの発明に係わる電気コネクタの概念断面図。
【図２】図２ははこの発明に係わる電気コネクタの概念断面図。
【図３】図３はこの発明に係わる電気コネクタの作用を示す概念断面図。
【図４】図４はこの発明に係わる電気コネクタの作用を示す概念断面図。
【図５】図５はこの発明に係わる電気コネクタの作用を示す概念断面図。
【図６】図６はこの発明に係わる電気コネクタの作用を示す概念断面図。
【図７】図７は従来の電気コネクタの概念断面図。
【図８】図８は従来の電気コネクタの作用を示す概念断面図。
【図９】図９は従来の電気コネクタの作用を示す概念断面図。
【図１０】図１０は従来の電気コネクタの作用を示す概念断面図。
【符号の説明】
１０…印刷配線基板
２０…電気コネクタ
２４…基板挿入口
２１…ハウジング
２２…第１のコンタクト
２３…第２のコンタクト
２２ａ、２３ａ…接点
２５…アクチュエータ手段
２７…第１のアクチュエータ
２８…第２のアクチュエータ
２２ｂ、２３ｂ…第１のコンタクト片
２２ｃ、２３ｃ…第２のコンタクト片
２７ｂ、２８ｂ…押圧突起
【図１】
2004265673.tif 000003
【図２】
2004265673.tif 000004
【図３】
2004265673.tif 000005
【図４】
2004265673.tif 000006
【図５】
2004265673.tif 000007
【図６】
2004265673.tif 000008
【図７】
2004265673.tif 000009
【図８】
2004265673.tif 000010
【図９】
2004265673.tif 000011
【図１０】
2004265673.tif 000012